(57)【特許請求の範囲】
【請求項１】
ステップフロアの後方かつ上方にシートを配置し、このシート支持部材に荷物を収納できるようにした自動２輪車において、
前記シート支持部材に前方へ引き出し可能かつ上方が開放されたボックス状の収納ケースを設けるとともに、この収納ケースを前方へ引き出したとき、前記シート前方の車体側部材に設けられた支持部へ前記収納ケースの前部を支持させることを特徴とする自動２輪車の荷物収納装置。
【請求項２】
前記支持部は前記シート前方の車体カバー背面に設けられたフックであり、前記収納ケースの前面には前記フックと係合可能な凹部を設け、
この凹部と前記フックをほぼ同じ高さにしたことを特徴とする請求項１に記載した自動２輪車の荷物収納装置
【請求項３】
前記フックは、前記収納ケースの凹部に係合する係合部と、この係合部の下方から横向きに設けられる荷掛け部とを備えたことを特徴とする請求項１に記載した自動２輪車の荷物収納装置。
【請求項４】
前記シート支持部材に、収納時の前記収納ケースの側壁面の上端に直接係合して収納ケースの引き出しを不能にするロック機構を設けたことを特徴とする請求項１に記載した自動２輪車の荷物収納装置。
【請求項５】
前記シート支持部材は前記収納ケースを覆うように形成され、その前面に前記収納ケースを出入するための前面開口部を設け、内部に収納時の前記収納ケースの底面と対面する底板を設け、さらに側面の前記収納ケースと重なる位置に側面開口部を設けたことを特徴とする請求項１に記載した自動２輪車の荷物収納装置。
【発明の詳細な説明】
【技術分野】
【０００１】
この発明は自動２輪車のシート下に設ける荷物収納装置に係り、特に使い勝手を良好にしたものに関する。
【背景技術】
【０００２】
従来の自動２輪車の収納装置として、例えばシート下に車両前方へ開けることのできる蓋を設け、この蓋の裏面に物入れを形成するものが知られている。
【特許文献１】実開昭６１−６１２９１号公報
【発明の開示】
【発明が解決しようとする課題】
【０００３】
上記従来のような蓋の裏面に物入れを形成する場合、十分な収納容量を確保することは難しい。また、シート下に収納ボックスを持ち、このような蓋を設けることで車両前方から収納ボックスへのアクセスを可能とした場合には、車両前方から荷物を出し入れするときに、収納ボックスを車両前方からのぞき込んで内部を確認しなければならないので、使い勝手の面でより良いものが求められている。
【課題を解決するための手段】
【０００４】
上記課題を解決するため請求項１の発明は、ステップフロアの後方かつ上方にシートを配置し、このシート支持部材に荷物を収納できるようにした自動２輪車において、
前記シート支持部材に前方へ引き出し可能かつ上方が開放されたボックス状の収納ケースを設けるとともに、この収納ケースを前方へ引き出したとき、前記シート前方の車体側部材に設けられた支持部へ前記収納ケースの前部を支持させることを特徴とする。
【０００５】
請求項２の発明は上記請求項１において、前記支持部が前記シート前方の車体カバー背面に設けられたフックであり、前記収納ケースの前面には前記フックと係合可能な凹部を設け、
この凹部と前記フックをほぼ同じ高さにしたことを特徴とする。
【０００６】
請求項３の発明は上記請求項１において、前記フックは、前記収納ケースの凹部に係合する係合部と、この係合部の下方から横向きに設けられる荷掛け部とを備えたことを特徴とする。
【０００７】
請求項４の発明は上記請求項１において、前記シート支持部材に、収納時の前記収納ケースの側壁面の上端に直接係合して収納ケースの引き出しを不能にするロック機構を設けたことを特徴とする。
【０００８】
請求項５の発明は上記請求項１において、前記シート支持部材は前記収納ケースを覆うように形成され、その前面に前記収納ケースを出入するための前面開口部を設け、内部に収納時の前記収納ケースの底面と対面する底板を設け、さらに側面の前記収納ケースと重なる位置に側面開口部を設けたことを特徴とする。
【発明の効果】
【０００９】
請求項１の発明によれば、シート支持部に引き出し式の収納ケースを設けたので、収納ケースを引き出すことで収納ケース内部の荷物を一目で把握することができ、荷物の出し入れを容易に行うことができる。また、収納ケースは上方を開口させるボックス形状であるので、収納ケース一杯に荷物を収容することができ、十分な収納容量を確保することができる。
さらに引き出した収納ケースを支持部によりシート前方の車体側部材に支持可能にしたので、収納ケースを引き出したとき、手を放しても収納ケースを安定して支持できることになり、両手で荷物の出し入れができて使い勝手をより向上させることができる。
【００１０】
請求項２の発明によれば、収納ケースの凹部を取っ手として収納ケースを引き出し、そのまま凹部をフックへ引っ掛けるだけで収納ケースの前部を車体側へ支持させることができるので、引き出しと支持を一連の連続動作で容易に行うことができる。さらに、フックを荷掛けフックとして機能させることができ、車両への積載量をさらに増やすことができる。
【００１１】
請求項３の発明によれば、フックに収納ケースの凹部と係合する係合部と、
その下方に横向きに設けられた荷掛け部を設けたので、フックの荷掛け部に荷物を引っ掛けたままで、収納ケースの凹部をフックの係合部に係合させることができ、収納ケースを支持する際にフックの荷物を外す必要がなく、そのままの荷掛け状態でよいから使い勝手が向上する。
【００１２】
請求項４の発明によれば、収納ケースの側壁面の上端に直接係合するロック機構を設けることにより、収納ケースの引き出しを不能にするようロックできるので、ロック機構を比較的簡単な機構にすることができる。さらに、走行時において収納ケースを確実に格納しておくことができ、収納ケースの飛び出しを確実に防止することができる。
【００１３】
請求項５の発明によれば、シート支持部に側面開口を設け、収納ケースを引き出したときにシート下にできる空間に車両側方から荷物を置くことができ、荷物を出し入れする際の一時的な荷物置きスペースとして使用することができる。したがって、より使い勝手を向上させることができる。
【発明を実施するための最良の形態】
【００１４】
以下、図面に基づいて一実施例を説明する。図１は実施例に係る小型自動２輪車の側面図である。この自動２輪車はスクータ型であり、前輪１及び後輪２間にステップフロア３を備える。ステップフロア３は車体フレーム４の鞍部上に支持され、この部分には燃料タンク５がステップフロア３の下方に配置されて支持される。
【００１５】
車体フレーム４の前部は上方へ立ち上がり、前部車体カバー６に覆われて見えない部分にてフロントフォーク７を回動自在に支持する。フロントフォーク７は下端で前輪１を支持し、ハンドル８にて操向される。前部車体カバー６の前面には、フロントキャリヤ９によりヘッドライト１０及びウインカ１１が支持されている。
【００１６】
車体フレーム４の後部側は、ステップフロア３の後端部近傍から斜め上がりに後方へ延びるリヤフレーム１２をなす。リヤフレーム１２は左右一対のパイプで構成され、前端を車体フレーム４の前部側へブラケット１３で連結され、中間部に設けられているピボットパイプ１４にユニットスイング式のパワーユニット１５の前端部が揺動自在に支持されている。パワーユニット１５には後輪２が支持されている。
【００１７】
リヤフレーム１２の上方に、ボックス状のシートカバー１６が設けられ、その上面にシート１７が支持されている。シート１７は前端部がヒンジ１７ａを介してシートカバー１６の上面前端部へ回動自在に支持され、矢示するように後端部側を上下へ回動させて開閉するようになっている。
リヤフレーム１２の後端部にはリヤウインカ１８及びテールランプ１９が支持されている。
なお、本実施例ではボックス状のシートカバー１６であるが、その形状は後述する収納ケース２２を収容できる形状であればよい。
【００１８】
シートカバー１６はピボットパイプ１４を跨ぎ、前端部はステップフロア３の後端部へ臨んで若干重なり、後端は後輪２の前側部分と上下方向にて若干重なり、腰掛け式のシート１７に着座した乗員が足をステップフロア３上へ置くことができる位置に配置されている。シート１７はシートカバー１６に対して前部が回動自在に取付けられ、後部側を開閉自在になっている。
【００１９】
シートカバー１６は樹脂又は金属等のある程度剛性を有する部材からなり、ステップフロア３を挟んで前部車体カバー６に対面し、その上に支持されているシート１７の上面における高さと前部車体カバー６の上端部の高さが略一致する。
【００２０】
シートカバー１６の側面には大きな窓穴２０が設けられ、その左斜め上方にはシートロック２１が設けられる。シートロック２１は、側面視略四角形をなすシートカバー１６の後方上部側のコーナー部に設けられ、シートロック及び後述する収納ケース２２のロックを兼ねている。シートロック２１を解錠するキーは、車両のイグニッションキーを兼用することができる。
【００２１】
シートカバー１６内には収納ケース２２が収納されるとともに、シートカバー１６の前面に形成された開口１６ａより前方へ引き出し自在になっている。収納ケース２２は上方が開放された箱状のケースであり、収納時には収納ケース２２の側面壁２２ａで窓穴２０を閉じるとともに、シート１７を開くことにより、上方から収納ケース２２内へ荷物を出し入れできる。
【００２２】
また、駐車時には前方へ引き出すことができ、このときの収納ケース２２の前部を係止するため、前部車体カバー６の背面にはフック２３が設けられている。フック２３は略Ｌ字状をなすため、収納ケース２２を係止する他、買い物袋を掛ける等の荷掛けフックとしても利用できるようになっている。したがって、収納ケースを引き出して使用する際は、車両にまたがったまま荷物の出し入れを行うことができる。
【００２３】
図２は収納ケース２２を引き出した状態を示す。収納ケース２２は略水平に前方へ引き出され、引き出しを上方へ持ち上げるようにして前面壁２４に形成された係止凹部２５内へ略Ｌ字形をなすフック２３が入ってフック２３と係合することにより、前端部を車体側に支持される。
【００２４】
収納ケース２２は前面壁２４の他に、後面壁２６，後述する側面壁２７及び底部２８を備え、その前後方向長さは、シートカバー１６の前面と前部車体カバー６のフック２３間の間隔よりも若干長くなっている。
また、シートカバー１６内には、窓穴２０よりも下方位置に水平方向へ広がる底板３６（図２、５）が設けられている。
【００２５】
この収納ケース２２を引き出した状態では、収納ケース２２が上方へ開放されているため、上方から直接荷物を出し入れできる。また、後面壁２６の位置が窓穴２０の前端位置程度となり、窓穴２０も開放されるため、車体側方より荷物をシートカバー１６内の空間へ出し入れ可能になる。
【００２６】
図３はシートカバー１６の内部及び収納ケース２２の側面視形状を示すために分解した図であり、断面で示すシートカバー１６には窓穴２０を挟む上下に、カバー側上レール３０と下レール３１がそれぞれ水平に前後方向へ設けられている。下レール３１の前端は前面から若干後退した位置にあり、下レール３１の前端前方にローラ３２が位置する。
【００２７】
一方、収納ケース２２は側面視で前後方向へ長い長方形であり、側面壁２７の上下にカバー側上レール３０及び下レール３１と対応する上レール３３及び下レール３４が設けられ、カバー側上レール３０と上レール３３及び下レール３１と下レール３４がそれぞれ係合するようになっている。
【００２８】
前面壁２４に設けられた係止凹部２５は、収納ケース２２の内方へ入り込むように形成される。図４に係止凹部２５を拡大して示すように、係止凹部２５の上端部は前方へ曲がり、さらに下方へ折り返すフランジ３５をなす。
このフランジ３５により、収納ケース２２を引き出すときの手掛け部になるとともに、フック２３の上下部２３ａの上端と係合する係止部となっている。
【００２９】
なお、フック２３は本願発明の係合部をなす上下部２３ａ及び下方へ凸に湾曲しながら横向きに延びる荷掛け部２３ｂからなる略Ｊ字状をなし、上下部２３ａの長さＡは、係止凹部２５の開口幅Ｂと同程度以下となり、収納ケース２２を引き出したとき、収納ケースを持ち上げるようにして上下部２３ａがフランジ３５の先端３５ａ下方を通って係止凹部２５内へ入り、その後収納ケース２２の自重で収納ケース２２の前端側が下方へ下がることにより、フランジ３５と上下部２３ａの上端が係合する。
【００３０】
なお、横向き部２３ｂから上下部２３ａへ屈曲する屈曲点２３ｃからフック２３の上端までの寸法である２３の高さをＣ、フランジ３５の先端３５ａと頂部との間隔をＤとすれば、Ｃ＞Ｄの関係があり、上下部２３ａが係止凹部２５内へ入って確実に先端３５ａ側と重なる状態になって抜け出しを阻止するようになっている。また、こうすることで横向き部２３ｂに買い物袋の吊りひもを引っ掛けたとき、吊りひものクリアランスを十分に保つことができる。
【００３１】
このように、引き出し式の収納ケース２２を設け、上方に開放させてあるので、収納ケース２２を引き出すことで収納ケース内部の荷物を一目で把握することができ、荷物の出し入れを容易に行うことができる。また、収納ケース２２は上方を開口させたボックス形状であるので、収納ケース２２へ一杯に荷物を収容することができ、十分な収納容量を確保することができる。
【００３２】
さらに、引き出した収納ケース２２をフック２３によりシート１７前方の車体側部材であるフロントカバー６へ支持可能にしたので、収納ケース２２を引き出したとき、手を放しても収納ケース２２を安定して支持できることになり、両手で荷物の出し入れができて使い勝手をより向上させることができる。
【００３３】
また、収納ケース２２の係止凹部２５のフランジ３５を取っ手として利用して収納ケース２２を引き出し、そのまま係止凹部２５をフック２３へ引っ掛けるだけで収納ケース２２の前部をフロントカバー６へ支持させることができるので、引き出しと支持を一連の連続動作で容易に行うことができる。さらに、フック２３を荷掛けフックとして機能させることができ、車両への積載量をさらに増やすことができる。
【００３４】
逆に、収納ケース２２を収納するときは、フランジ３５に手を掛けて収納ケース２２の前端を持ち上げ、上下部２３ａの上端からフランジ３５の下端を離すことにより、上下部２３ａとフランジ３５の係合を解いて収納ケース２２を後方へ移動することが可能になる。
【００３５】
荷掛け部２３ｂは、上下部２３ａの下方に前後方向へ横向きに設けられて下方へ湾曲する荷掛け部をなすので、ここに荷物を引っ掛けて支持でき、かつフック２３に荷物を引っ掛けたままで、収納ケース２２の係止凹部２５を上下部２３ａに係合させることができ、収納ケース２２を支持する際にフック２３に掛けられている荷物を外す必要がなく、そのままの荷掛け状態でよいから使い勝手が向上する。
【００３６】
図５はシートカバー１６と収納ケース２２を前方から見た各概略正面視形状（それぞれ右半分側のみ）を分解状態にて示す。この図に示すように、シートカバー１６の内側には、窓穴２０の下辺より低い位置に底板３６が設けられ、収納ケース２２を引き出したとき、この底板３６上に窓穴２０から出し入れする物品を置くことができるようになっている。このようにすると、収納ケース２２を引き出したときにシート下にできる空間である底板３６上の空間に車両側方から荷物を置くことができ、荷物を出し入れする際の一時的な荷物置きスペースとして使用することができる。したがって、より使い勝手を向上させることができる。
【００３７】
シートカバー１６側のカバー側上レール３０，下レール３１及び収納ケース２２側の上レール３３及び下レール３４はそれぞれ略コ字状断面をなして逆向きに配置されている。符号４０はシートカバー１６の前面開口である。
前面開口４０はシートカバー１６上半分前面側に形成され、収納ケース２２が出入自在になっている。収納ケース２２は底板３６の上を通って出入し、底板３６はシートカバー１６内の空間を上下に区画し、シートカバー１６の補強材を兼ねている。
係止凹部２５は収納ケース２２の前面上部の左右方向中間部に形成されている。
【００３８】
図６は収納ケース２２のロック構造を示す部分断面図であり、Ａはロック状態、Ｂはアンロック状態を示す。シートロック２１はキーにより回動するシリンダ３７及びこれと一体の略Ｌ字状をなすロック爪３８を備える。このロック爪３８は、収納ケース２２をシートカバー１６内へ収納してシートロック２１をロックすると、シリンダ３７と一体に回動して後面壁２６の上部と係止することにより、収納ケース２２の抜け出しを規制する（Ａ）。
【００３９】
シートロック２１をアンロック状態にすれば、シリンダ３７とともにロック爪３８が反時計回りに略９０°回動して、後面壁２６との係合を解き、収納ケース２２の引き出しを可能にする（Ｂ）。
なお、この収納ケース２２に対するロック機構は上記構造に限らず任意にできるが、この実施例では、図示を省略してあるが、シリンダ３７の回動により同時にシート１７の後部をロック又はアンロックできるようになっており、シートロックと兼用できるように構成した点で、ロックの共用化を実現でき、有利な構造になっている。
【００４０】
収納ケースの側壁面の上端に直接係合するロック機構を設けることにより、収納ケースの引き出しを不能にするようロックできるので、ロック機構を比較的簡単な機構にすることができる。さらに、走行時において収納ケースを確実に格納しておくことができ、収納ケースの飛び出しを確実に防止することができる。
【００４１】
このように、本実施例によれば、駐車中におけるステップフロア３上の空間を利用して収納ケース２２を引き出すことにより、物品の出し入れを可能にするので、使い勝手に優れたものになる。また、窓穴２０を利用してシートカバー１６内へ一時的な物品の出し入れも可能になり、さらに使い勝手のよいものになる。
【００４２】
なお、本願発明は上記の各実施例に限定されるものではなく、発明の原理内において種々に変形や応用が可能である。例えば、シート支持部として必ずしもシートカバー１６を必要としない。すなわち、シート１７を車体フレーム４上の一部に設けた枠状等の支持部上に支持し、この支持部に対して収納ケース２２を出し入れ自在に支持させてもよい。また、収納ケース２２を左右方向へ引き出すこともできる。さらにシート支持部に設けられる側面開口に加えて後方を開放させることもできる。
【００４３】
また、引き出した収納ケースを支持する支持部は必ずしもフック２３である必要はなく、フロントカバー６又は他の車体側部材へ設けた突部のようなものでもよい。そのうえ、フック２３を設ける場合も、フロントカバー６以外の車体カバーを含む他の車体側部材へ設けることができる。
【図面の簡単な説明】
【００４４】
【図１】実施例に係る小型自動２輪車の側面図
【図２】収納ケースを引き出した状態を示す図
【図３】シートカバー及び収納ケースを側方から分解状態で示す図
【図４】係止凹部部分の拡大断面図
【図５】シートカバーと収納ケースを正面側から分解状態で示す図
【図６】収納ケースロック構造を示す図
【符号の説明】
【００４５】
１：前輪、２：後輪、３：ステップフロア、４：車体フレーム、６：前部車体カバー、１３：ブラケット、１６：シートカバー、１７：シート、２０：窓穴、２１：シートロック、２２：収納ケース、２３：フック、２５：係止凹部
【図１】
0004945469.tif 000002
【図２】
0004945469.tif 000003
【図３】
0004945469.tif 000004
【図４】
0004945469.tif 000005
【図５】
0004945469.tif 000006
【図６】
0004945469.tif 000007